(57)【要約】【課題】操作の有効／無効を切換可能としつつ従来例よりもシステム構成を簡素化する。【解決手段】他の操作端末器（切換用操作端末器１１０）のスイッチＳ１を操作することで制御手段（メインマイコン１２）を許可状態と禁止状態に切り換えることができる。そして、禁止状態では操作入力受付手段（操作入力部３）で受け付ける操作入力が無効とされるので、従来例のように伝送制御装置１００との間に中継装置を設置する必要が無く、操作の有効／無効を切換可能としつつ従来例よりもシステム構成を簡素化できる。【選択図】        図１
2010199684.tif 000002
【特許請求の範囲】
【請求項１】
複数のスイッチを備え各スイッチごとに固有のアドレスが設定される操作端末器と、複数の負荷が接続され各負荷ごとに固有のアドレスが設定される制御端末器と、操作端末器および制御端末器を分岐接続した信号線に接続され何れかのスイッチが操作されたときに操作端末器から受け取る監視データに基づいて何れかの負荷を制御する制御データを生成するとともに操作されたスイッチとの対応関係が設定されている負荷を接続した制御端末器に対して制御データを伝送する伝送制御装置とを備え、伝送制御装置は、スイッチが操作された操作端末器から信号線を介して伝送される割込信号を受け取ったときに当該割込信号の送信元である操作端末器のアドレスを探索し、当該送信元の操作端末器では伝送制御装置によるアドレス探索に応答して自己のアドレスを含む伝送信号を返信する遠隔監視制御システムに用いられる操作端末器であって、
信号線を介して伝送信号並びに割込信号を伝送する伝送手段と、複数のスイッチを有し当該スイッチの操作入力を受け付ける操作入力受付手段と、前記アドレスを記憶する記憶手段と、操作入力受付手段で受け付けられる操作入力に応じた監視データを生成するとともに当該監視データを含む伝送信号を伝送手段から送信させる制御手段とを備え、
記憶手段は、他の操作端末器のスイッチとの間で対応関係が設定されている固有の切換用アドレスを記憶し、
制御手段は、操作入力受付手段で受け付けられる操作入力を有効とする許可状態と当該操作入力を無効とする禁止状態とを択一的に切り換え、許可状態に切り換えているときは前記操作入力に応じた監視データの生成並びに当該監視データを含む伝送信号の送信を実行し、禁止状態に切り換えているときは前記操作入力に応じた監視データを生成せず、さらに、前記切換用アドレスが設定されている他の操作端末器のスイッチの操作に対応した制御データを伝送制御装置から受け取ったときに当該制御データに応じて許可状態と禁止状態を切り換えることを特徴とする遠隔監視制御システムの操作端末器。
【請求項２】
制御手段は、複数のスイッチのうちで予め選択された１乃至複数のスイッチに対応する操作入力のみを無効とすることを特徴とする請求項１記載の遠隔監視制御システムの操作端末器。
【発明の詳細な説明】
【技術分野】
【０００１】
本発明は、負荷の動作を遠隔から制御及び監視する遠隔監視制御システムに用いられる操作端末器に関するものである。
【背景技術】
【０００２】
従来より、負荷制御用として、図５に示すような構成の遠隔監視制御システムが提供されている（例えば、特許文献１参照）。この遠隔監視制御システムでは、伝送制御装置１００に接続された２線式の信号線Ｌｓに複数台ずつの操作端末器１１０および制御端末器１２０が分岐接続（マルチドロップ接続）されている。各操作端末器１１０および各制御端末器１２０には、それぞれ固有のアドレスが設定され、伝送制御装置１００はそれらのアドレスを用いて操作端末器１１０および制御端末器１２０を個別に認識する。操作端末器１１０はスイッチＳを備え、制御端末器１２０には負荷Ｌが接続される。また、操作端末器１１０には負荷Ｌの動作状態を確認するための表示素子（発光ダイオード）よりなる確認灯１１０ａ，１１０ｂが設けられている。負荷Ｌはとくに制限されないが、照明負荷を用いることが多い。
【０００３】
伝送制御装置１００は信号線Ｌｓに対して、図６（ａ）に示すフォーマットの伝送信号Ｖｓを送出する。すなわち、信号送出開始を示す同期信号ＳＹ、伝送信号Ｖｓのモードを示すモードデータＭＤ、操作端末器１１０や制御端末器１２０を各別に呼び出すためのアドレスデータＡＤ、負荷Ｌを制御する制御データＣＤ、伝送誤りを検出するためのチェックサムデータＣＳ、操作端末器１１０や制御端末器１２０からの返送信号（監視データ）を受信するタイムスロットである信号返送期間ＷＴよりなる双極性（±２４Ｖ）の時分割多重信号であり、パルス幅変調によってデータが伝送されるようになっている（図６（ｂ））。各操作端末器１１０および各制御端末器１２０では、信号線Ｌｓを介して受信した伝送信号Ｖｓにより伝送されたアドレスデータＡＤがあらかじめ設定されているアドレスに一致すると、伝送信号Ｖｓから制御データＣＤを取り込むとともに、伝送信号Ｖｓの信号返送期間ＷＴに監視データを電流モード信号（信号線Ｌｓを適当な低インピーダンスを介して短絡することにより送出される信号）として返送する。
【０００４】
伝送制御装置１００から所望の操作端末器１１０や制御端末器１２０にデータを伝送する場合には、モードデータＭＤを制御モードとし、操作端末器１１０または制御端末器１２０のアドレスをアドレスデータＡＤとする伝送信号Ｖｓを送出し、この伝送信号Ｖｓを信号線Ｌｓに送出すれば、アドレスデータＡＤに一致する操作端末器１１０または制御端末器１２０が制御データＣＤを受け取り、信号返送期間ＷＴに監視データを返送する。伝送制御装置１００では送出した制御データＣＤと信号返送期間ＷＴに受信した監視データとの関係によって制御データＣＤが所望の操作端末器１１０または制御端末器１２０に伝送されたことを確認する。制御端末器１２０は受け取った制御データＣＤに従って負荷Ｌを制御するための負荷制御信号を出力し、操作端末器１１０では受け取った制御データＣＤに従って負荷Ｌの動作確認表示を行なうための監視信号を出力する。
【０００５】
一方、伝送制御装置１００は常時はモードデータＭＤをダミーモードとした伝送信号Ｖｓを一定時間間隔で送出しており、操作端末器１１０が伝送制御装置１００に対して何らかの情報を伝送しようとするときには、ダミーモードの伝送信号Ｖｓの同期信号ＳＹに同期させて図６（ｃ）のような割込信号を発生させる。このとき、操作端末器１１０は割込フラグを設定して伝送制御装置１００との以後の情報授受に備える。伝送制御装置１００では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した操作端末器１１０では、割込ポーリングモードの伝送信号のアドレスデータＡＤの上位４ビットが操作端末器１１０に設定されているアドレスの上位４ビットに一致するときに、信号返送期間ＷＴにアドレスの下位の半数のビットを伝送制御装置１００に返送する。このように、伝送制御装置１００は割込信号を発生した操作端末器１１０を１６個ずつまとめて探すので、比較的短い時間で操作端末器１１０を発見することができる。
【０００６】
伝送制御装置１００が割込信号を発生した操作端末器１１０のアドレスを獲得すると、モードデータＭＤを監視モードとし、獲得したアドレスデータＡＤを持つ伝送信号を信号線Ｌｓに送出するのであって、この伝送信号に対して操作端末器１１０は伝送しようとする情報を信号返送期間ＷＴに返送するのである。最後に、伝送制御装置１００は割込信号を発生した操作端末器１１０に対して割込リセットを指示する信号を送出し、操作端末器１１０の割込フラグを解除する。以上のようにして、操作端末器１１０から伝送制御装置１００への情報伝送は、伝送制御装置１００から操作端末器１１０への４回の信号伝送（ダミーモード、割込ポーリングモード、監視モード、割込リセット）によって完了する。伝送制御装置１００が所望の制御端末器１２０の動作状態を知ろうとするときには、モードデータＭＤを監視データとした伝送信号を送出するだけでよい。
【０００７】
上述の動作を簡単にまとめる。まず、操作端末器１１０に対してスイッチＳによる入力データが発生すると、入力データに対応した監視データを伝送制御装置１００に返送し、伝送制御装置１００が制御端末器１２０に制御データＣＤを伝送すると、制御端末器１２０は負荷制御信号を出力して負荷Ｌを制御する。ここで、制御端末器１２０には負荷監視入力が与えられ、負荷監視入力に対応する監視データを伝送制御装置１００に返送し、返送された監視データを操作端末器１１０に伝送する。この伝送信号によって操作端末器１１０では監視信号を出力する。監視出力は通常は確認灯の点灯・消灯に用いられる。
【０００８】
ところで、上述した遠隔監視制御システムがテナントビルや商業施設に設置される場合において、不特定多数の人が操作可能な場所に設置されている操作端末器１１０が不用意に操作されて負荷Ｌの動作が停止してしまう（例えば、照明負荷が消灯してしまう）といった不具合の生じる虞がある。そのために従来は、下流側の信号線に接続されている操作端末器の操作を有効とする許可状態と当該操作端末器の操作を無効とする禁止状態とが択一的に切り換えられる中継装置を信号線Ｌｓに接続し、上述のように不特定多数の人が操作可能な場所に設置されている操作端末器１１０を中継装置の下流側の信号線に接続するようにしていた（例えば、特許文献２参照）。すなわち、中継装置が禁止状態に設定されていれば、中継装置よりも下流側の信号線に接続されている操作端末器の操作が無効になるから、不特定多数の人による操作端末器の誤操作を防ぐことができる。
【先行技術文献】
【特許文献】
【０００９】
【特許文献１】特開２００３−９２６０号公報
【特許文献２】特開平７−１５７７３号公報（実施例２参照）
【発明の概要】
【発明が解決しようとする課題】
【００１０】
しかしながら、特許文献２に記載されている従来例では、操作の有効／無効が切り換えられる操作端末器と伝送制御装置１００との間に中継装置を設ける必要があるため、コストの上昇や信号線の配線設計の複雑化を招くという問題や、レイアウト変更に伴って中継装置の移動や信号線の再配線が生じるという問題があった。
【００１１】
本発明は上記事情に鑑みて為されたものであり、その目的は、操作の有効／無効を切換可能としつつ従来例よりもシステム構成を簡素化できる遠隔監視制御システムの操作端末器を提供することにある。
【課題を解決するための手段】
【００１２】
請求項１の発明は、上記目的を達成するために、複数のスイッチを備え各スイッチごとに固有のアドレスが設定される操作端末器と、複数の負荷が接続され各負荷ごとに固有のアドレスが設定される制御端末器と、操作端末器および制御端末器を分岐接続した信号線に接続され何れかのスイッチが操作されたときに操作端末器から受け取る監視データに基づいて何れかの負荷を制御する制御データを生成するとともに操作されたスイッチとの対応関係が設定されている負荷を接続した制御端末器に対して制御データを伝送する伝送制御装置とを備え、伝送制御装置は、スイッチが操作された操作端末器から信号線を介して伝送される割込信号を受け取ったときに当該割込信号の送信元である操作端末器のアドレスを探索し、当該送信元の操作端末器では伝送制御装置によるアドレス探索に応答して自己のアドレスを含む伝送信号を返信する遠隔監視制御システムに用いられる操作端末器であって、信号線を介して伝送信号並びに割込信号を伝送する伝送手段と、複数のスイッチを有し当該スイッチの操作入力を受け付ける操作入力受付手段と、前記アドレスを記憶する記憶手段と、操作入力受付手段で受け付けられる操作入力に応じた監視データを生成するとともに当該監視データを含む伝送信号を伝送手段から送信させる制御手段とを備え、記憶手段は、他の操作端末器のスイッチとの間で対応関係が設定されている固有の切換用アドレスを記憶し、制御手段は、操作入力受付手段で受け付けられる操作入力を有効とする許可状態と当該操作入力を無効とする禁止状態とを択一的に切り換え、許可状態に切り換えているときは前記操作入力に応じた監視データの生成並びに当該監視データを含む伝送信号の送信を実行し、禁止状態に切り換えているときは前記操作入力に応じた監視データを生成せず、さらに、前記切換用アドレスが設定されている他の操作端末器のスイッチの操作に対応した制御データを伝送制御装置から受け取ったときに当該制御データに応じて許可状態と禁止状態を切り換えることを特徴とする。
【００１３】
請求項１の発明によれば、他の操作端末器のスイッチを操作することで制御手段を許可状態と禁止状態に切り換えることができ、禁止状態では操作入力受付手段で受け付ける操作入力が無効とされるので、従来例のように伝送制御装置との間に中継装置を設置する必要が無く、操作の有効／無効を切換可能としつつ従来例よりもシステム構成を簡素化できる。
【００１４】
請求項２の発明は、請求項１の発明において、制御手段は、複数のスイッチのうちで予め選択された１乃至複数のスイッチに対応する操作入力のみを無効とすることを特徴とする。
【００１５】
請求項２の発明によれば、複数のスイッチのうちの一部のスイッチの操作のみを無効とすることができるために使い勝手が良い。
【発明の効果】
【００１６】
本発明によれば、操作の有効／無効を切換可能としつつ従来例よりもシステム構成を簡素化できる。
【図面の簡単な説明】
【００１７】
【図１】本発明に係る操作端末器の実施形態を示すブロック図である。
【図２】同上の斜視図である。
【図３】（ａ），（ｂ）は同上における画面の説明図である。
【図４】同上を含む遠隔監視制御システムのシステム構成図である。
【図５】従来の遠隔監視制御システムのシステム構成図である。
【図６】同上における伝送信号の説明図である。
【発明を実施するための形態】
【００１８】
以下、図面を参照して本発明の実施形態を詳細に説明する。
【００１９】
図４は本実施形態の操作端末器１を含む遠隔監視制御システムのシステム構成図である。この遠隔監視制御システムでは、伝送制御装置１００に接続された２線式の信号線Ｌｓに本実施形態の操作端末器１と、他の操作端末器（後述する切換用操作端末器）１１０と、制御端末器（リレー制御端末器）１２０とが分岐接続（マルチドロップ接続）されている。制御端末器１２０は、商用交流電源ＡＣから負荷（照明負荷Ｌ）への給電を入／切するためのラッチング型のリモコンリレー１３０を制御するものである。ここで、１４０は商用交流電源ＡＣからリモコンリレー１３０や制御端末器１２０、操作端末器１の動作電線（交流２４Ｖ）を作成して供給するリモコントランスである。
【００２０】
本実施形態の操作端末器１は、図１に示すように、液晶表示器にバックライトを一体化した表示パネル２と、表示パネル２の画面（前面）に重ねて配置された透明な板状のタッチスイッチからなる操作入力部（操作入力受付手段）３とを備えている。表示パネル２には多数の画素を縦横にマトリクス状に配列したマトリクス表示型のものを用い、画素の組み合わせによって図形を表示するようになっている。操作入力部３は、透明なシート状部材に透明電極からなる接点部を多数個配列し、シート状部材に指などが触れた際にどの部位に触れたのかを出力する抵抗感圧方式のタッチスイッチであり、表示パネル２と共にタッチパネルディスプレイを構成する。
【００２１】
この操作端末器１は、伝送制御装置１００に接続された信号線Ｌｓに接続され伝送信号を授受する通信回路（伝送手段）１１を備えている。通信回路１１は制御手段としてのメインマイコン１２に接続され、メインマイコン１２は、操作端末器１の内蔵メモリ（記憶手段）として設けられたフラッシュメモリ１３に書き込まれているプログラムおよびデータに従って動作する。フラッシュメモリ１３には少なくとも操作端末器１としてのアドレスが書き込まれる。
【００２２】
メインマイコン１２は、表示パネル２の表示内容を指示するデータをラッチ回路１４を通して液晶コントローラ１５に出力する。液晶コントローラ１５は、ＤＲＡＭ１６に予め登録してあるデータを用いて表示パネル２の所定位置に所定の内容を表示する。なお、表示パネル２のコントラストやバックライトの明るさは、メインマイコン１２がコントラスト調整部１７やバックライト用インバータ回路１８を制御することによって自動的に調節される。さらに、メインマイコン１２は操作入力部３の操作に応じてブザー１９を鳴動させる機能を有している。
【００２３】
ところで、本実施形態の操作端末器１は、図２に示すように略直方体状の器体５を備え、埋込型の配線器具と同様に、器体５の後部を壁内に埋め込むようにして壁に取り付けられる。この操作端末器１は、後部が壁内に埋め込まれるようにして壁に固定される本体ユニット６と、前部を壁面から前方に突出させるようにして本体ユニット６の前面側に着脱可能に装着されるパネルユニット７とに分離される。操作端末器１の内部回路は、本体ユニット６とパネルユニット７とに分割して設けられている。本実施形態では、内部回路に直流電源を供給する電源回路１０（図１参照）と通信回路１１とは本体ユニット６側に設けられ、その他の回路（表示パネル２と操作入力部３とメインマイコン１２とを含む）はパネルユニット７側に設けられている。
【００２４】
本体ユニット６は、前面に矩形状の開口部を有する箱状に形成された本体ボディ６１と、本体ボディ６１の前面に覆着される本体カバー６２とで構成される本体ケース６０を具備し、種々の電気部品が実装されている回路基板（図示せず）が本体ケース６０内に収納された構成を有する。本体ユニット６は、リモコントランス１４０から電源供給を受けるための電源線が接続される電源端子部Ｔ１（図１参照）と、信号線Ｌｓが接続される信号端子部Ｔ２（図１参照）とを背面側に備えている。
【００２５】
パネルユニット７は、前面に矩形状の開口部を有する薄箱状に形成されたパネルボディ７１と、パネルボディ７１の前面に覆着されるパネルカバー７２とで構成されるパネルケース７０を具備し、メインマイコン１２など種々の電気部品が実装されている回路基板（図示せず）がパネルケース７０内に収納された構成を有する。さらに、パネルユニット７は、パネルケース７０の前壁の一部に矩形状の表示窓７４が形成されており、表示パネル２および操作入力部３を表示窓７４内に備えている。パネルケース７０の前壁における表示窓７４の下方においては、左右方向の中央部に機械スイッチ（図示せず）を操作するための操作部７５が設けられ、当該操作部７５の左側方にＬＥＤ７７（図１参照）からの光を取り出すためのＬＥＤ窓７６が設けられている。ＬＥＤ７７はパネルユニット７への通電中であれば常時点灯し、室内が暗いときなどに監視制御装置１の位置をユーザに示す機能を持つ。
【００２６】
ここで、本実施形態の操作端末器１は、壁面からの器体５の突出量を小さく抑え、且つ、一般に普及している埋込型の配線器具との外観上の統一感を出すとともに、取り付けに用いる部材の低コスト化を図るために、壁内に設置された埋込型の配線器具用の埋込ボックス（図示せず）を用いて壁に取り付けられる。
【００２７】
本体ユニット６は、壁面に設けた施工孔を通して前方から埋込ボックスに取り付けられるのであって、本体ケース６０が後部を埋込ボックス内に収納可能な形状および寸法に形成されている。また、本実施形態では、本体ユニット６の本体ケース６０は１連用の取付枠（図示せず）を２個まで取付可能な埋込ボックスに対応する大きさに形成されている。ここでいう１連用の取付枠とは、埋込型の配線器具用にＪＩＳで規格化されている取付枠（大角形連用配線器具の取付枠）を意味しており、１連用の取付枠が左右方向に２個連接された寸法を「２連用」と呼ぶ。すなわち、本実施形態の本体ユニット６は２連用の埋込ボックスに取付可能な寸法に設定される。
【００２８】
より具体的に説明すると、本体ケース６０は、上下方向の各端面のそれぞれから互いに離れる向きに延設された一対の取付片６３を連続一体に有する。一対の取付片６３は、本体ケース６０の前端部から上下方向に突出する形で設けられており、本体ケース６０の左右方向の略全長にわたって形成される。各取付片６３には、埋込型の配線器具を埋込ボックスに固定する際に用いられる取付枠と同様に、取付ねじを挿通するボックス用孔６４がそれぞれ複数個（ここでは２個）ずつ形成されている。なお、上下方向において取付片６３におけるボックス用孔６４の外側には、器体５の前端部の周囲に取付片６３を覆う形で取着される化粧プレート（図示せず）をねじ固定するためのプレート取付孔６５が形成されている。
【００２９】
ところで、従来例の操作端末器１１０は押釦スイッチによってスイッチの操作入力を受け付る構成であったため、１台の操作端末器１１０が備えるスイッチの個数は最大で４個程度であった。これに対して本実施形態の操作端末器１では、操作入力を受け付ける操作入力部３が表示パネル２と共にタッチパネルディスプレイを構成しており、表示パネル２に表示される図形ないし文字と操作入力部３との組み合わせによって５個以上のスイッチを持つことが可能である。しかしながら、制御対象である全ての負荷Ｌと対応する多数のスイッチを一画面内に同時に表示するには大きな画面サイズの表示パネル２が必要になり、高価になるとともに全体が大型化することになる。そこで、一画面内に同時に表示するスイッチの個数を比較的に少なくし、それぞれに異なるスイッチが同時に表示される複数の画面（以下、これらの画面を「ページ」と呼ぶ。）を切り換えることで表示パネル２の画面サイズを小型化している。
【００３０】
次に、本実施形態の要旨となる構成について説明する。本実施形態の操作端末器１においては、制御手段たるメインマイコン１２が、操作入力受付手段たる操作入力部３で受け付けられる操作入力を有効とする許可状態と当該操作入力を無効とする禁止状態とを択一的に切り換え、許可状態に切り換えているときは前記操作入力に応じた監視データの生成並びに当該監視データを含む伝送信号の送信を実行し、禁止状態に切り換えているときは前記操作入力に応じた監視データを生成しないようになっている。但し、メインマイコン１２では、後述するように複数のスイッチのうちで予め選択された１乃至複数のスイッチに対応する操作入力のみを無効とするように設定可能である。
【００３１】
ここで、記憶手段たるフラッシュメモリ１３には、他の操作端末器（切換用操作端末器１１０）のスイッチ（切換スイッチ）Ｓ１との間で対応関係が設定されている固有の切換用アドレス（後述する）が予め設定（格納）されている。そして、メインマイコン１２では、切換用操作端末器１１０の切換スイッチＳ１の操作に対応した制御データを伝送制御装置１００から受け取ったときに当該制御データに応じて許可状態と禁止状態を切り換えるようになっている。
【００３２】
図３（ａ）は操作端末器１のメインマイコン１２において許可状態と禁止状態の切換に関する設定を行う際に表示パネル２に表示される設定画面Ｗ１を示している。この設定画面Ｗ１では、許可状態と禁止状態の切換を行う（する）か行わない（しない）かの選択と、切換の対象とするスイッチ（ページ）の選択と、切換用アドレスの設定とを行うための操作入力が受付可能である。図示例では、許可状態と禁止状態の切換を行う（する）方が選択されて対応するチェックボックスＣＢ１１にチェックが表示され、「ページ１」，「ページ２」，「ページ３」の３つのページのうちの「ページ２」と「ページ３」とが切換対象に選択されて対応するチェックボックスＣＢ２２，ＣＢ２３にチェックが表示され、さらに、切換用アドレスのアドレス表示用のボックスＡＢに「６３−４」というアドレスが表示されている。ここで、従来例の操作端末器１１０は最大４回路のスイッチＳを備え、制御端末器１２０は最大４回路の負荷Ｌが制御可能であって、操作端末器１１０および制御端末器１２０には各スイッチＳや負荷Ｌを個別に認識するために２ビットの負荷番号が付加されている。そして、従来の遠隔監視制御システムにおいては、操作端末器１１０ないし制御端末器１２０のアドレスをチャンネルと呼び、チャンネルと負荷番号とをまとめてアドレスと呼んでおり、各スイッチＳや各負荷Ｌに個別のアドレスが設定されている。つまり、図３（ａ）においては、切換用アドレスとしてチャンネル６３の負荷番号４を表す「６３−４」というアドレスが選択されていることになる。
【００３３】
図３（ａ）の設定画面Ｗ１において、右上端に「決定」の文字と矩形の図形で表示されている操作釦（スイッチ）が操作され、当該スイッチの操作入力が操作入力部３で受け付けられると、メインマイコン１２は設定画面Ｗ１で選択されている内容、すなわち、「ページ２」と「ページ３」に対して許可状態と禁止状態の切換を行うことと「６３−４」というアドレスを切換用アドレスとすることをフラッシュメモリ１３に記憶（設定）する。
【００３４】
一方、切換用操作端末器１１０の切換用スイッチＳ１にも切換用アドレスと同じアドレス「６３−４」が割り当てられ、その設定内容が伝送制御装置１００にも登録される。但し、切換用操作端末器１１０の切換用スイッチＳ１に対するアドレスの割り当てや伝送制御装置１００に対するアドレスの設定内容の登録方法については従来の遠隔監視制御システムにおいて周知であるから詳細な説明は省略する。
【００３５】
而して、不特定多数の人が操作可能な場所に本実施形態の操作端末器１が設置されており、ページ２及びページ３の画面で表示されるスイッチ群に対して不特定多数の人による誤操作を防止したい場合、切換用操作端末器１１０のスイッチＳ１を操作することで操作端末器１のメインマイコン１２を許可状態から禁止状態に切り換えさせればよい。つまり、切換用操作端末器１１０のスイッチＳ１が操作されると、伝送制御装置１００から操作端末器１に対して制御データが伝送され、当該制御データを受け取った操作端末器１のメインマイコン１２が許可状態から禁止状態へ切り換わるのである。但し、メインマイコン１２が禁止状態であるときに前記制御データを受け取れば、当然に禁止状態から許可状態へ切り換わる。
【００３６】
ここで、メインマイコン１２が禁止状態であるときに「ページ２」又は「ページ３」の何れかのスイッチが操作された場合、メインマイコン１２は、図３（ｂ）に示すようにスイッチの操作が無効であることを操作者に知らせるためのメッセージ、例えば、「ロックされています。操作できません。」を一定時間（例えば、数秒間）だけ表示パネル２に表示した後、元の画面（「ページ２」又は「ページ３」）を表示パネル２に表示させる。
【００３７】
上述のように本実施形態の操作端末器１によれば、他の操作端末器（切換用操作端末器１１０）のスイッチＳ１を操作することで制御手段（メインマイコン１２）を許可状態と禁止状態に切り換えることができ、禁止状態では操作入力受付手段（操作入力部３）で受け付ける操作入力が無効とされるので、従来例のように伝送制御装置１００との間に中継装置を設置する必要が無く、操作の有効／無効を切換可能としつつ従来例よりもシステム構成を簡素化できるという利点がある。しかも、操作の有効／無効を切換可能とする対象のスイッチを一部のスイッチのみとすることができるために使い勝手が良いものである。
【００３８】
ところで、本実施形態では切換用操作端末器１１０のスイッチＳ１を人が操作することで操作端末器１における操作の有効／無効を切り換えるようにしているが、予め設定された時刻になると自動的に監視データを送信するタイマ機能を有した切換用操作端末器を用いれば、操作端末器１のスイッチ操作の有効／無効を時間帯に合わせて自動的に切り換えることも可能である。但し、このようなタイマ機能を有した端末器については従来周知であるから詳細な説明は省略する。
【符号の説明】
【００３９】
１  操作端末器
３  操作入力部（操作入力受付手段）
１１  通信回路（伝送手段）
１２  メインマイコン（制御手段）
１３  フラッシュメモリ（記憶手段）
【図１】
2010199684.tif 000003
【図２】
2010199684.tif 000004
【図３】
2010199684.tif 000005
【図４】
2010199684.tif 000006
【図５】
2010199684.tif 000007
【図６】
2010199684.tif 000008